(57)【特許請求の範囲】
【請求項１】
家具側に取り付けられる家具側金具と、当該家具側金具に対応して壁側に取り付けられる壁側金具とを備えており、対応する前記家具側金具と前記壁側金具とが互いに係合されてなる状態で前記家具を前記壁に取り付ける家具取付け構造において、
前記家具側金具は前記家具の上端部と下端部との一方に少なくとも一つが取り付けられ且つ他方に少なくとも二つが取り付けられており、
前記壁側金具は、当該壁側金具を通して水平又は斜め下方に前記壁に突き刺された状態にある突き刺しピンによって前記壁側に取り付けられており、
前記壁側金具は、前記壁に固定される本体部分と、上方から落とし込まれた状態にある前記家具側金具と係合する係合部とを備えており、
前記突き刺しピンは、細長い薄板状に形成され且つ先端部分が尖った板状ピンを備えており、
前記壁側金具の前記本体部分には、前記突き刺しピンの前記板状ピンがその板面を上下に向けて嵌まり合う状態で刺し通される突き刺し孔が形成されている
ことを特徴とする家具取付け構造。
【請求項２】
前記家具を前記壁に寄せて取り付けるため、前記壁側金具の前記係合部は、前記本体部分から手前側上方に向かって傾斜しており且つ前記家具側金具が前記壁側金具に対して引き寄せられた状態で係合する傾斜上面を有していることを特徴とする請求項１に記載の家具取付け構造。
【請求項３】
前記家具側金具は前記家具の前記壁側に面する側に形成されている凹部内に収容されていて、前記家具の取付け状態で、前記壁側金具も前記家具側金具と共に前記凹部に収容されており、更に、前記凹部には、当該凹部よりも深さが深い第２凹部が形成されており、前記係合部は前記凹部と前記第２凹部に収容されていることを特徴とする請求項１又は２に記載の家具取付け構造。
【請求項４】
前記壁側金具は、少なくとも左右に隔置した二つの位置のそれぞれにおいて前記突き刺しピンによって前記壁に装着されており、前記係合部は、前記二つの突き刺しピンの中間位置を通る縦線上であって、前記二つの突き刺しピンの上端縁の高さよりも上方の領域、前記二つの突き刺しピン間の領域又は前記二つの突き刺しピンの下端縁の高さよりも下方の領域に配置されていることを特徴とする請求項１〜３のいずれか一項に記載の家具取付け構造。
【請求項５】
前記壁側金具に形成されている前記突き刺し孔は、前記板状ピンの断面である細板の断面に対応して形成されているストレートな長孔、又は前記板状ピンに切り起こし片として形成されている楔部が通過する拡大部分が前記ストレートな長孔に連続して形成されている孔であることを特徴とする請求項１〜４のいずれか一項に記載の家具取付け構造。
【請求項６】
前記壁側金具の前記本体部分には、前記突き刺しピンの前記壁側金具への位置決めを確実にするため、前記突き刺しピンの前記壁側金具に対する突き刺しが完了した状態で、前記突き刺しピンに形成されている突起が嵌まり込む嵌入孔が形成されていることを特徴とする請求項１〜５のいずれか一項に記載の家具取付け構造。
【請求項７】
前記家具は、箱、断面Ｌ字状の単数段又は複数段を備えた棚、鏡又は額縁であることを特徴とする請求項１〜６のいずれか一項に記載の家具取付け構造。
【請求項８】
壁側に取り付けられる金具であって、家具側に取り付けられる家具側金具と互いに係合されてなる状態で前記家具を前記壁に取り付ける家具取付け構造に用いられる壁側金具において、
前記壁側金具は、当該壁側金具を通して水平又は斜め下方に前記壁に突き刺された状態にある突き刺しピンによって前記壁側に取り付け可能であり、
前記壁側金具は、前記壁に固定可能な本体部分と、上方から落とし込まれた状態にある前記家具側金具と係合可能な係合部とを備えており、
前記壁側金具の前記本体部分には、前記突き刺しピンに備わり細長い薄板状に形成され且つ先端部分が尖った板状ピンがその板面を上下に向けた姿勢で嵌まり合って刺し通し可能な突き刺し孔が形成されている
ことを特徴とする壁側金具。
【請求項９】
前記係合部は、前記本体部分から手前側上方に向かって傾斜しており且つ前記家具側金具が前記壁側金具に対して引き寄せられた状態で係合可能な傾斜上面を有していることを特徴とする請求項８に記載の壁側金具。
【請求項１０】
前記壁側金具は、少なくとも左右に隔置した二つの位置のそれぞれにおいて前記突き刺しピンによって前記壁に装着可能であり、前記係合部は、前記二つの突き刺しピンの中間位置を通る縦線上であって、前記二つの突き刺しピンの上端縁の高さよりも上方の領域、前記二つの突き刺しピン間の領域又は前記二つの突き刺しピンの下端縁の高さよりも下方の領域に配置されていることを特徴とする請求項９に記載の壁側金具。
【請求項１１】
前記突き刺し孔は、前記板状ピンの断面である細板の断面に対応して形成されているストレートな長孔、又は前記板状ピンに切り起こし片として形成されている楔部が通過可能な拡大部分が前記ストレートな長孔に連続して形成されている孔であることを特徴とする請求項８〜１０のいずれか一項に記載の壁側金具。
【請求項１２】
前記本体部分には、前記突き刺しピンの前記壁側金具への位置決めを確実にするため、前記突き刺しピンの前記壁側金具に対する突き刺しが完了した状態で、前記突き刺しピンに形成されている突起が嵌まり込む嵌入孔が形成されていることを特徴とする請求項８〜１１のいずれか一項に記載の壁側金具。
【発明の詳細な説明】
【技術分野】
【０００１】
この発明は、棚や箱のような家具を壁に取り付けるための家具取付け構造、及びそれに用いられる壁側金具に関する。
【背景技術】
【０００２】
従来、棚や箱のような比較的小型の家具は、家屋に備わる既存の壁に対して金具を用いて引っ掛けることにより、当該壁に取り付けるものが提案され且つ用いられている。こうした家具は、手近に要する小物などを収納・並べておく或いは部屋等のアクセントとなるような装飾品を載せるなどの目的で使用されており、日常生活において重宝されている。壁に引っ掛けて取り付けられる家具は、比較的大型で且つ平らな設置床を必要とする床置きの家具と比較して、床の状況や他の設置家具等の周囲の状況に左右されず、小型であれば勿論のこと、取付け空間が確保されれば手軽に設置することができ、且つ必要に応じて配置替えも容易であり、使い勝手の優れた家具である。
【０００３】
このような家具は、典型的には、壁にフックを予め取り付けておき、当該家具の上端部に取り付けた取付け金具を当該フックに対して引っ掛けることにより、壁に対して直接的に取り付けられている。フックと金具は通常、左右二カ所に設けることで、家具を簡素ながらバランス良く取り付けることができる。家具は、その上端部において壁に吊り下げられる状態となり、家具それ自体の重さ、或いはその家具に載置又は収納された物品の重さが家具に対して吊り下げ位置の回りに回動させるモーメントを生じることになるので、かかるモーメントによって家具の下端部の部分が壁面に当接することで、その当接領域における摩擦力で家具の不用意な動きを抑制している。
【０００４】
家具の取付けが上記のような引っ掛け構造で行われている場合、地震の発生時に振動が壁と家具に伝達されてくると、家具が揺れ、即ち、フックを支点として壁面から離れ、その後戻ることで壁に勢いを付けて衝突するという挙動を繰り返すことがある。かかる揺れを生じた場合、家具に載置又は収納していた物品が家具内で転倒、或いは家具から落下することあった。また、揺れが大きくなると、家具自体がフックから外れて壁から脱落する危険があった。更に、引っ掛け箇所が一カ所である場合は勿論であるがその引っ掛け構造が不安定である場合には、家具は、壁面に平行な面内においても揺動をすることが充分に予想され、この場合にも、家具に載置又は収納していた物品が家具内で転倒又は家具から落下するという危険があった。
【０００５】
簡単に取付け作業ができ、かつ、取付け後長期経過しても、鏡止め具が不用意に持ち上がらずに取付け時の保持位置を保って、鏡を保持する鏡止め金具が提供されている（特許文献１参照）。この鏡止め金具は、壁面に取付け固定される固定部と、該固定部に設けられたガイド部に案内されて上下方向に可動して鏡を保持する爪部と、固定部と爪部との間に設けて下方向に爪部を弾性的に保持するように保持力が働くバネ部から構成され、かつ、爪部が上方垂直に上がらないように、固定部にはウイングを設けて、このウイングに引掛かるように対向して、爪部にはストッパ部が設けられている。鏡は、鏡の下端部を受ける下側の左右二つの鏡止め具と、鏡の上縁部を上側から嵌合する上側の左右二つの鏡止め具とで、壁面に取り付けられる。壁面に取付けた後、引き上げる作動工程においては、爪部は固定部に対して、壁面が邪魔して反ることができずに、ストッパ部と壁面との間にウイングが入り込んで、両者は当接し干渉しあい、これにより、バネの保持力が低下したとしても、爪部が不用意に持ち上がらずに、鏡を保持し続けるようにされている。
【先行技術文献】
【特許文献】
【０００６】
【特許文献１】特開平０９−０８４６７４号公報
【発明の概要】
【発明が解決しようとする課題】
【０００７】
そこで、家具を壁に取り付ける家具取付け構造において、壁側金具に突き刺しピンの適用が可能になるように構造上の工夫を凝らして、家具を簡単に且つ確実に壁に取り付けることができるようにする一方で、地震のような振動が作用しても壁側金具を含めて家具が容易には壁から脱落しないようにする点、及び壁側金具について、構造上、突き刺しピンの適用を可能にして家具の壁への取付けが簡単に且つ確実になるようにする点で解決すべき課題がある。
【０００８】
この発明の目的は、上記課題を解決することであり、家具を簡単に且つ確実に壁に取り付けることができ、地震のような振動が作用しても容易には壁から脱落しないようにする家具取付け構造、及びその家具取付け構造に用いられる壁側金具を提供することである。  また、そうした家具取付け構造、及びその家具取付け構造に用いられる壁側金具において、更に、家具をできる限り壁に接近させて、好ましくは壁との隙間を無くした状態で取り付けることを可能にして、家具の壁への取付け状態の見栄えを向上するとともに、壁に対する工事を極力少なくすることができるようにすることである。
【課題を解決するための手段】
【０００９】
上記の課題を解決し、目的を達成するため、この発明による家具取付け構造は、家具側に取り付けられる家具側金具と、当該家具側金具に対応して壁側に取り付けられる壁側金具とを備えており、対応する前記家具側金具と前記壁側金具とが互いに係合されてなる状態で前記家具を前記壁に取り付ける家具取付け構造において、前記家具側金具は前記家具の上端部と下端部との一方に少なくとも一つが取り付けられ且つ他方に少なくとも二つが取り付けられており、前記壁側金具は、当該壁側金具を通して水平又は斜め下方に前記壁に突き刺された状態にある突き刺しピンによって前記壁側に取り付けられており、前記壁側金具は、前記壁に固定される本体部分と、上方から落とし込まれた状態にある前記家具側金具と係合する係合部とを備えており、前記突き刺しピンは、細長い薄板状に形成され且つ先端部分が尖った板状ピンを備えており、前記壁側金具の前記本体部分には、前記突き刺しピンの前記板状ピンがその板面を上下に向けて嵌まり合う状態で刺し通される突き刺し孔が形成されていることを特徴としている。
【００１０】
この家具取付け構造によれば、家具側金具は家具の上端部と下端部との一方に少なくとも一つが取り付けられ且つ他方に少なくとも二つが取り付けられているので、家具は上下に距離の離れた少なくとも三カ所で壁に取り付けられていることになり、地震等の振動が作用しても、家具が壁から容易には脱落することがない。また家具側金具は対応する壁側金具に対して上方から落とし込まれた状態で当該壁側金具の係合部に係合しているので、家具の壁への取付けが容易である。
また、壁側金具を壁に装着する突き刺しピンは、細長い薄板状に形成され且つ先端部分が先細に尖った板状ピンを備えており、板状ピンがその板面を上下に向けて水平又は斜め下方に壁に突き刺される。壁側金具には、突き刺しピンの板状ピンが嵌まり合う状態で刺し通される突き刺し孔が形成されている。壁側金具は、板状ピンが壁側金具の突き刺し孔を刺し通して壁に突き刺された状態にある突き刺しピンによって、壁に装着される。
壁側金具に形成される突き刺し孔の形状については、突き刺しピンの板状ピンの断面形状に合わせて、細長い矩形のみならず例えばＬ字状の非対称な形状とすることもできる。この場合、突き刺しピンの突き刺しの際には、板状ピンの壁側金具に対する位置ばかりでなく姿勢についても決められた姿勢にする必要があり、壁側金具に対する突き刺しを間違えることがない。
【００１１】
この家具取付け構造において、前記家具を前記壁に寄せて取り付けるため、前記壁側金具の前記係合部は、前記本体部分から手前側上方に向かって傾斜しており且つ前記家具側金具が前記壁側金具に対して引き寄せられた状態で係合する傾斜上面を有することができる。家具側金具が壁側金具に対して上方から落とし込まれた状態では、係合部は、傾斜上面のガイド作用によって家具側金具を壁側金具に向けて引き寄せることになる。家具側金具が対応する壁側金具に対して引き寄せられることで、家具を壁に寄せて取り付けことができる。家具と壁との間に隙間が少ないほど、取付け状態の見栄えが良い。
また、前記壁側金具の前記傾斜上面は、前記壁側金具の本体部分から、前記壁への取付け状態で上方に延びることになる延長部を、前記壁から離れる方向に斜めに屈曲させて得られる延長部表面によって構成することができる。壁側金具の傾斜上面を構成する屈曲形成された延長部表面は、広い表面のガイド作用によって家具側金具を壁側金具に向けて引き寄せる。
更に、前記壁側金具の前記傾斜上面は、前記壁側金具の本体部分から、前記壁への取付け状態で側方となる方向に形成した延長部を、前記本体部分に対して折り曲げて前記本体部分に対して起立させて得られる延長部端縁によって構成することができる。折り曲げ形成された延長部の端縁によって壁側金具の傾斜上面を構成するので、延長部の剛性が高められる。
【００１２】
この家具取付け構造において、前記家具側金具は前記家具の前記壁側に面する側に形成されている凹部内に収容されていて、前記家具の取付け状態で、前記壁側金具も前記家具側金具と共に前記凹部に収容されており、更に、前記凹部には、当該凹部よりも深さが深い第２凹部が形成されており、前記係合部は前記凹部と前記第２凹部に収容されているとすることができる。
家具側金具や壁側金具はそれ自体で厚みのあるものであるので、家具の壁側に面する側に凹部を形成し、家具の取付け状態で当該凹部内に家具側金具を収容することで、壁と家具との間に家具側金具の厚みに相当する隙間を作ることがなく、家具と壁との間の隙間を少なくする、或いは家具は壁に寄せて取り付けることができる。また、家具の取付け状態で、壁側金具も家具側金具と共に当該凹部に収容することで、壁と家具との間に壁側金具の厚みに相当する隙間が作られることがなく、家具は壁に対して更に寄せて、好ましくは家具を完全に壁に接する状態に取り付けられる。
更に、前記凹部に当該凹部よりも深さが深い第２凹部を形成し、前記係合部を前記凹部と前記第２凹部に収容することができる。係合部を凹部と第２凹部に収容することで、壁と家具との間に壁側金具の厚みに相当する隙間が作られることがなく、家具は壁に対して更に寄せて取り付けられる。
【００１３】
この家具取付け構造において、前記壁側金具は、少なくとも左右に隔置した二つの位置のそれぞれにおいて前記突き刺しピンによって前記壁に装着されており、前記係合部は、二つの前記突き刺しピンの中間位置を通る縦線上に配置することができる。壁側金具を壁に装着する手段を左右に各隔置した二つの突き刺しピンとし、その中間位置を通る縦線上に係合部を配置することで、係合部から壁側金具に掛かる家具の重さは二つの突き刺しピンを介してバランス良く壁で支えられる。
また、前記係合部については、前記壁側金具において、前記二つの突き刺しピンの上端縁の高さよりも上方の領域、前記二つの突き刺しピン間の領域又は前記二つの突き刺しピンの下端縁の高さよりも下方の領域に配置することができる。家具の上端部や下端部などの部位に対する関係で、装着される位置に応じて係合部が備わる領域が変更された壁側金具を採用することで、種々の係合バリエーションが得られ、壁側金具が家具の内側に隠れることになり、家具取付け構造として見栄えが良好となる。
また、前記家具側金具は、前記家具に固定される本体部分を有しており、前記本体部分の端縁、又は前記本体部分に形成されている窓の縁において、前記壁側金具に備わる前記係合部と係合することができる。家具側金具は簡素な構造にて壁側金具に備わる係合部と係合し、特に、本体部分に形成されている窓の縁において壁側金具に備わる係合部と係合する家具側金具の場合には、係合部が窓から係合離脱し難くなり、地震発生時においても家具が壁から落下するような事態を未然に防止することができる。
また、前記壁側金具に形成されている前記突き刺し孔は、前記板状ピンの断面である細板の断面に対応して形成されているストレートな長孔、又は前記板状ピンに切り起こし片として形成されている楔部が通過する拡大部分が前記ストレートな長孔に連続して形成されている孔であるとすることができる。突き刺しピンは、板状ピンがストレートな長孔に嵌まり合う状態で、或いはストレートな長孔に拡大部分となる孔部分を連続して形成した場合には、板状ピンが位置のみならず姿勢についても突き刺し孔に嵌まり合う状態で壁側金具に挿通させて、壁に突き刺される。
また、前記壁側金具の前記本体部分には、前記突き刺しピンの前記壁側金具への位置決めを確実にするため、前記突き刺しピンの前記壁側金具に対する突き刺しが完了した状態で、前記突き刺しピンに形成されている突起が嵌まり込む嵌入孔を形成することができる。突き刺しピンに形成されている突起が壁側金具に形成されている嵌入孔に嵌まり込むことにより、突き刺しピンが壁側金具の突き刺し孔を挿通して壁に予定の深さまで正しく突き刺された状態にあることを確認することができる。
更に、前記家具は、箱、断面Ｌ字状の単数段又は複数段を備えた棚、鏡又は額縁であるとすることができるが、これらに限られることもない。
【００１４】
また、上記の課題を解決し、目的を達成するため、この発明による壁側金具は、壁側に取り付けられる金具であって、家具側に取り付けられる家具側金具と互いに係合されてなる状態で前記家具を前記壁に取り付ける家具取付け構造に用いられる壁側金具において、前記壁側金具は、当該壁側金具を通して水平又は斜め下方に前記壁に突き刺された状態にある突き刺しピンによって前記壁側に取り付け可能であり、前記壁側金具は、前記壁に固定可能な本体部分と、上方から落とし込まれた状態にある前記家具側金具と係合可能な係合部とを備えており、前記壁側金具の前記本体部分には、前記突き刺しピンに備わり細長い薄板状に形成され且つ先端部分が尖った板状ピンがその板面を上下に向けた姿勢で嵌まり合って刺し通し可能な突き刺し孔が形成されていることを特徴としている。この壁側金具によれば、壁側金具は、板状ピンが壁側金具の突き刺し孔を刺し通して壁に突き刺された状態にある突き刺しピンによって、壁に装着される。また、家具側金具は対応する壁側金具に対して上方から落とし込まれた際に当該壁側金具の係合部に係合して受けられるので、家具の壁への取付けが容易である。
この壁側金具において、前記係合部は、前記本体部分から手前側上方に向かって傾斜しており且つ前記家具側金具が前記壁側金具に対して引き寄せられた状態で係合可能な傾斜上面を有することができる。家具側金具を壁側金具に対して上方から落とし込むときに、係合部は、傾斜上面のガイド作用によって家具側金具を壁側金具に向けて引き寄せる。
また、この壁側金具の前記傾斜上面については、前記本体部分から前記壁への取付け状態で上方に延びることになる延長部を前記壁から離れる方向に斜めに屈曲させて得られる延長部表面によって構成することができる。壁側金具の傾斜上面を構成する屈曲形成された延長部表面は、広い表面のガイド作用によって家具側金具を壁側金具に向けて引き寄せることができる。
また、この壁側金具の前記傾斜上面については、前記本体部分から前記壁への取付け状態で側方となる方向に形成した延長部を、前記本体部分に対して折り曲げて前記本体部分に対して起立させて得られる延長部端縁によって構成することができる。折り曲げ形成された延長部の端縁によって壁側金具の傾斜上面を構成するので、延長部の剛性が高められる。
また、この壁側金具は、少なくとも左右に隔置した二つの位置のそれぞれにおいて前記突き刺しピンによって前記壁に装着可能であり、前記係合部は、前記二つの突き刺しピンの中間位置を通る縦線上であって、前記二つの突き刺しピンの上端縁の高さよりも上方の領域、前記二つの突き刺しピン間の領域又は前記二つの突き刺しピンの下端縁の高さよりも下方の領域に配置することができる。壁側金具を壁に装着する手段を左右に隔置した二つの突き刺しピンとし、その中間位置を通る縦線上に係合部を配置することで、壁側金具は、係合部に係る家具の重さを二つの突き刺しピンを介してバランス良く壁に伝達することができ、また、係合部の配置領域が、家具の上端部や下端部などの部位に対する関係との関係で壁に装着される位置に応じて変更された壁側金具を採用することで、種々の係合バリエーションが得られ、壁側金具が家具の内側に隠れて見栄えが良好となる。
また、この壁側金具において、前記突き刺し孔は、前記板状ピンの断面である細板の断面に対応して形成されているストレートな長孔、又は前記板状ピンに切り起こし片として形成されている楔部が通過可能な拡大部分が前記ストレートな長孔に連続して形成されている孔であるとすることができる。突き刺しピンについては、板状ピンがストレートな長孔に嵌まり合う状態で、或いはストレートな長孔に拡大部分となる孔部分を連続して形成した場合には、板状ピンが位置のみならず姿勢についても突き刺し孔に嵌まり合う状態で壁側金具に挿通させて、壁に突き刺すことができる。
更に、前記本体部分には、前記突き刺しピンの前記壁側金具への位置決めを確実にするため、前記突き刺しピンの前記壁側金具に対する突き刺しが完了した状態で、前記突き刺しピンに形成されている突起が嵌まり込む嵌入孔を形成することができる。突き刺しピンに形成されている突起が壁側金具に形成されている嵌入孔に嵌まり込むことにより、突き刺しピンが壁側金具の突き刺し孔を挿通して壁に予定の深さまで正しく突き刺された状態にあることを確認することができる。
【００１５】
また、家具側に取り付けられる家具側金具は、壁側に取り付けられる壁側金具を互いに係合させることにより前記家具を前記壁に取り付ける家具取付け構造に用いられる前記家具側金具であって、上方から落とし込まれて前記壁側金具に受け止められた状態で前記壁側金具に係合可能である。家具側金具は対応する壁側金具に対して上方から落とし込むことによって当該壁側金具に係合するので、家具の壁への取付けが容易になる。
この家具側金具において、前記家具に固定される本体部分と、前記本体部分の端縁又は前記本体部分に形成されている窓の縁に形成されていて、前記壁側金具に備わる係合部と係合可能な被係合部とを備えることができる。家具側金具は簡素な構造にて壁側金具に備わる係合部と係合し、特に、本体部分に形成されている窓の縁において壁側金具に備わる係合部と係合する家具側金具の場合には、係合部が窓から係合離脱し難くなり、地震発生時においても家具が壁から落下するような事態を未然に防止することができる。
【発明の効果】
【００１６】
この発明の家具取付け構造は、上記のように構成されているので、次のような格別の効果を奏することができる。即ち、家具は上下に距離の離れた少なくとも三カ所で壁に取り付けられていることになり、左右に傾くことなく、また地震等の振動が作用しても、家具の前後方向の揺れが少なく、家具が壁から容易には脱落することがない。また、家具側金具は対応する壁側金具に対して上方から落とし込まれた状態で当該壁側金具に係合するので、家具の壁への取付けが容易になる。その結果、壁側には壁側金具を取り付けるだけで済み、壁に凹部や溝等の加工をする必要がなく、壁を極力元の状態のまま使用することができる。賃貸住宅の場合などには、例えば突き刺しピンのような装着具によって壁に突き刺すのみで壁側金具を取り付けることができるので、壁を傷つけることが殆どない。また、家具側に加工を施す場合であっても、その壁に面する側（裏板等）に凹部等を形成する程度であり、家具の裏側は通常目に触れることがなく、影響が少ない。また、家具を可能な限り壁に近づけて取り付けることができるので、家具の背面と壁との間に隙間が少なく、家具の壁への取付け状態の見栄えが良好である。また、壁側金具は、従来のように、ねじやビスのように回転操作を伴う工具を用いる固着具で壁に取り付けられるのではなく、細長い薄板状に形成され且つ先端部分が尖った板状ピンを備える突き刺しピンがその板面を上下に向けて水平又は斜め下方に前記壁に突き刺されることで、壁に装着される。突き刺しは、人の手で直接に又は工具を用いるにしてもハンマのような叩く操作で行うことで極めて手軽に行うことができる。壁への突き刺し時に作用する突き刺し力は板状ピンの先の尖った先端部分に集中し、楔作用によって壁への突き刺しを容易に行うことができ、また、板状ピンは断面が細板の断面であるので、突き刺しの際の、木材やモルタル等から成る壁の変形や押し退けの程度が少なくて済み、壁へのダメージを少なくすることができる。更に、家具の荷重は、家具側金具から係合部を介して壁側金具に伝わり、壁側金具から突き刺しピンを経て壁に支えられる。この際、板状ピンは水平又は斜め下方に壁に突き刺されているので、板状ピンに伝えられた荷重は板状ピンの細長いけれども幅のある広い領域の板面に伝達され、当該荷重が特定の領域に集中せず板面に分散される。したがって、この家具取付け構造は、支持強度が高く、壁に対する家具の荷重の支持が確実である。
【００１７】
また、この発明は、家具取付け構造に用いられる壁側金具であって、壁側に取り付けられた状態で家具側金具と係合されたときに、家具をできる限り壁に接近させて、好ましくは壁との隙間を無くした状態で取り付けることを可能にする。家具取付け構造に用いられた状態では、地震のような振動が作用しても容易には壁から脱落しないようにし、家具の壁への取付け状態の見栄えを向上し、壁に対する工事を極力少なくし、更に家具を簡単に且つ確実に壁に取り付けることを可能にする家具取付け構造を構成することができる。
【図面の簡単な説明】
【００１８】
【図１】図１は、この発明による家具取付け構造の実施例が適用された家具の取付け状態の一例を示す図である。
【図２】図２は図１に示す家具に適用された家具取付け構造のうち上側取付け構造の一例を示す図である。
【図３】図３は図１に示す家具に適用された家具取付け構造のうち下側取付け構造の一例を示す図である。
【図４】図４は、図２に示す上側取付け構造に用いられる壁側金具を示す図である。
【図５】図５は、上側取付け構造のうち、家具側金具の変形例を示す図である。
【図６】図６は、下側取付け構造における壁側金具を示す図である。
【図７】図７は、下側取付け構造における壁側金具の別例を示す図である。
【図８】図８は、下側取付け構造における家具側金具の別例を示す図である。
【図９】図９は、下側取付け構造における家具側金具の更に別の例を示す図である。
【図１０】図１０は、壁側金具を壁に固定するための壁装着具としての突き刺しピンの詳細を示す図である。
【図１１】図１１は、この発明による家具取付け構造の別の実施例において用いられる壁側金具と当該壁側金具を壁に固定するための壁装着具とから成る壁側構造を示す図である。
【図１２】図１２は、図１１に示す壁側金具を示す図である。
【図１３】図１３は、図１１に示す壁側金具を壁に固定するための壁装着具を示す図である。
【発明を実施するための形態】
【００１９】
以下、添付した図面に基づいて、この発明による家具取付け構造の実施例を説明する。図１はこの発明による家具取付け構造が適用された家具としての箱の取付け状態の一例を示す図であって、図１に示す（ａ）は当該箱の取付け状態を示す斜視図であり、（ｂ）はその側面図である。図２は、図１に示す家具に適用された家具取付け構造のうち上側取付け構造の一例を示す図であって、図２に示す（ａ）は上側取付け構造の壁側と家具側の金具の係合状態を示す図であり、（ｂ）は係合状態にある上側取付け構造の側面図である。図３は、図１に示す家具に適用された家具取付け構造のうち下側取付け構造の一例を示す図であって、図３に示す（ａ）は下側取付け構造の壁側と家具側の金具の係合状態を示す図であり、（ｂ）は係合状態にある下側取付け構造の側面図である。
【００２０】
図１に示す家具は、内部に物品を収容・陳列可能な四角い箱１である。箱１は、壁Ｗに対して、裏板１ａにおいて、上側の左右両端近傍の２カ所における上側取付け構造Ａ，Ｂと、下側中央の１カ所における下側取付け構造Ｃとの３つの点で、引っ掛けられた状態で取り付けられている。上側取付け構造Ａ，Ｂは、左右に対して取付け条件が対称的になるように、左右対称とすることが好ましい。なお、図１に示している箱１は、一つの例示に過ぎない。箱の形態はこの例に限ることなく、本発明による家具取付け構造は種々の形態の箱に適用することができることは明らかである。
【００２１】
上側取付け構造Ａ，Ｂは、いずれも、図２に示すように、壁Ｗ側に取り付けられる壁側金具１０と、家具、即ち、箱１側に取り付けられる家具側金具２０とを備えている。図２に図示されている上側取付け構造Ａに対して、上側取付け構造Ｂは左右対称である以外、同じ構造である。対応する壁側金具１０と家具側金具２０とを互いに係合させることにより箱１を壁Ｗに取り付けることができる。各壁側金具１０は、３本（左右に隔置した二つの位置のそれぞれに配置された上側２本、下側１本）の突き刺しピン１６によって壁Ｗに取り付けられている。壁側金具１０は、金属製の板材を打ち抜きそして折り曲げ加工して製作されたものであり、中央の本体部分１１と、本体部分１１の上側左右において壁Ｗへの取付け状態で上方向に延びる舌片１２，１２と、本体部分１１の下側左右において同じ取付け状態で下方向に延びる舌片１３，１３と、本体部分１１の上側中央において上手前方向に傾斜して延びる引っ掛け片としての係合部１４とを備えている。係合部１４は、図２の（ｂ）に示すように、斜め手前上方に傾斜しているので、壁Ｗとの間には、上方には開放され且つ下方に向かって楔状（隙間が狭くなる）となったスペース１５が形成されている。即ち、壁側金具１０に備わる係合部１４は、壁Ｗへの取付け状態で、本体部分１１から壁Ｗに沿って上方に延びる舌状の延長部を備えており、係合部１４が有する手前側上方に向かって傾斜する傾斜上面は、当該延長部の壁Ｗから離れる方向に斜めに屈曲させて得られる延長部表面１４ａによって構成されている。また、壁側金具１０においては、延長部表面１４ａによって構成される係合部１４は、左右二つの突き刺しピン１６，１６の上端縁の高さよりも上方の領域で且つ両ピン１６，１６の中間位置を通る縦線上に配置されている。延長部表面１４ａは、舌状の延長部の表面に形成されているので、家具側金具２０の後述する係合部分２２との係合のために広いガイド面として機能する。
【００２２】
各突き刺しピン１６は例えば樹脂製の本体部分１７と金属製の突き刺し針１８とを備えている。３つのピン１６の各突き刺し針１８をそれぞれ壁側金具１０に形成されている孔に通して壁Ｗに突き刺すことで、本体部分１７と壁Ｗとの間に壁側金具１０を挟み込むことにより、壁側金具１０が壁Ｗに容易に且つ確実に取り付けられる。
【００２３】
家具側金具２０は、裏板１ａの角部に合わせるように、概略矩形の形状を有する金属板から形成されている。家具側金具２０は、本体部分２１と、壁側金具１０と係合する部位である端縁として、本体部分２１の下辺の一部に僅かに切り欠いて形成された係合部分２２とを備えている。本体部分２１には複数箇所（図示の例では３カ所）に孔２３が座ぐり状に形成されており、孔２３を通して木ねじ２４を箱１（裏板１ａ）にねじ込むことにより、家具側金具２０を箱１（裏板１ａ）に取り付けることができる。木ねじ２４の頭部は皿頭として、家具側金具２０の表面からの出っ張りを少なくするのが好ましい。
【００２４】
図３に示すように、下側取付け構造Ｃは、壁Ｗ側に取り付けられる壁側金具３０と、家具、即ち、箱１側に取り付けられる家具側金具４０とを備えている。壁側金具３０は、本体部分３１と、当該本体部分３１の略半分の幅を有し本体部分３１から、壁Ｗへの取付け状態で下方に延びる延長部分３２と、板金を切断して形成されており当該延長部分３２の中央側側縁の回りに折り曲げられて形成されたフック状の引っ掛け片となる係合部３３とを備えている。係合部３３は、全体として上手前方向（図３（ｂ）では左側方向）に傾斜して延びており、係合部３３の壁Ｗ側は斜め手前上方に傾斜した傾斜端縁３４となっている。即ち、壁側金具３０の係合部３３は、壁側金具３０の本体部分３１から、壁Ｗへの取付け状態で側方となる方向に形成した延長部を、本体部分３１に対して折り曲げて本体部分３１に対して起立させて得られており、その傾斜上面は、延長部端縁である傾斜端縁３４によって構成されている。係合部３３は折り曲げて起立させて得られているので、家具側金具４０の当たりに対して剛性が高くなっている。傾斜端縁３４と壁Ｗとの間には、上方に開放され且つ下方に向かって楔状（隙間が狭くなる）となったスペース３５が形成されている。端縁３４の下端は水平端縁３４ａとなっており、場合によっては後述する家具側金具４０を載せることができる寸法関係に設定することも可能である。
【００２５】
壁側金具３０は、上側取付け構造Ａの壁側金具１０の場合の突き刺しピン１６と同様の突き刺しピン３６によって壁Ｗに取り付けられる。即ち、突き刺しピン３６は、例えば樹脂製の本体部分３７と金属製の突き刺し針３８とを備えており、左右に隔置された２つの突き刺しピン３６，３６の各突き刺し針３８をそれぞれ壁側金具１０に設けられた孔に通して壁Ｗに突き刺すことで、本体３７と壁Ｗとの間に壁側金具３０を挟み込むことにより、壁側金具３０が壁Ｗに容易に且つ確実に取り付けられる。また、壁側金具３０においては、傾斜端縁３４によって構成される係合部３３は、二つの突き刺しピン３６，３６の下端縁の高さよりも下方の領域で且つ両ピン３６，３６の中間位置を通る縦線上に配置されている。
【００２６】
下側取付け構造Ｃの家具側金具４０は、全体が逆Ｔ字状の形状をした金属製の金具であり、横に延びていて箱１の下辺部に固定される本体部分４１と、本体部分４１の中央から上方に延びていて壁側金具３０の係合部３３に係合可能な係合部分４２とを有している。本体部分４１には、複数箇所（図示の例では２カ所）に孔４３が座ぐり状に形成されており、孔４３を通して木ねじ４４を箱１（裏板１ａ）にねじ込むことにより、家具側金具４０は箱１（裏板１ａ）に取り付けられる。木ねじ４４は、木ねじ２４と同様に、頭部の形状を皿頭とするのが好ましい。
【００２７】
家具側金具４０の係合部分４２には、壁側金具３０の引っ掛け片である係合部３３を通すことができる大きさの窓４５が打抜き加工を施すなどして形成されている。家具側金具４０を上方から壁側金具３０に対して上方から落とし込む際に、家具側金具４０の窓４５に係合部３３を相対的に通すことで、家具側金具４０をその窓４５の縁において壁側金具３０の係合部３３に係合させることができる。家具側金具４０は簡素な構造にて壁側金具３０に備わる係合部３３と係合可能である。
【００２８】
箱１の裏板１ａにはその一部又は全部に窪ませることで凹部としての第１凹部２が形成されており、家具側金具２０，４０は、本体部分２１，４１を当該第１凹部２内に嵌め込んだ状態で固定されている。したがって、図２（ｂ）、図３（ｂ）に示すように、家具側金具２０，４０は裏板１ａ内に収容される状態となっており、裏板１ａよりも外側（壁Ｗ側）にはみ出てはいない。また、箱１の裏板１ａには、第１凹部２に続いて第１凹部２よりも深い第２凹部３が形成されている。壁側金具１０，３０において、屈曲されて或いは折り曲げて形成される係合部１４，３３を本体部分２１，３１や延長部分３２に対して高さのある構造に形成しても、家具１の壁Ｗへの取付け状態では、係合部１４，３３は第１凹部２やそれに続く第２凹部３内に収容される。また、取付け用のピン３６も第１凹部２やそれに続く第２凹部３内に収容される。このように、家具取付け構造Ａ、Ｂ，Ｃは、箱１の裏板１ａに形成された第１凹部２或いは第２凹部３に収容されるので、家具１を壁Ｗに近接又は接触させるように取り付けることができる。
【００２９】
壁側金具３０の係合部３３は、家具側金具４０の本体部分４１から一体的に延びる係合部分４２に形成されている窓４５に嵌入し、窓４５の縁において係合可能であるので、係合部３３が窓４５から係合離脱し難くなり、地震発生時のように家具である箱１と壁ＷとがＸ方向（図１に示すように壁面に対して平行な水平方向）に相対的に揺れるときには、係合部３３が窓４５の開口縁に規制されて、箱１の揺れが抑制される。また、箱１の裏板１ａと壁Ｗとの間には最小限の隙間しか形成されず、壁Ｗに対する箱１の揺れを最小限に抑えることができる。例えば、第１凹部２の深さを充分な深さ、例えば、壁側金具３０と家具側金具４０と和よりも深い凹部に形成することで、壁側金具３０と家具側金具４０とが係合状態になろうとした場合においても、裏板１ａを壁Ｗに当接状態にすることができる。地震発生時のように家具である箱１と壁ＷとがＹ方向（図１に示すように壁Ｗに対して垂直に進退する方向）に相対的に揺れるときにも、係合部３３の傾斜端縁３４が窓４５の開口縁に規制されて、箱１の当該方向の揺れを抑制することができ、箱１の壁Ｗに対する当たりを伴う揺れを緩和させることができる。
【００３０】
本発明による家具取付け構造においては、上側取付け構造Ａ，Ｂの壁側金具１０と家具側金具２０、及び下側取付け構造Ｃの壁側金具３０と家具側金具４０とは互いに位置を対応して配置されているので、箱１を壁Ｗに取り付ける時には、家具側金具２０，４０を対応する壁側金具１０，３０に対して上方から落とし込むことによって、家具側金具２０，４０は同時に壁側金具１０，３０に係合する。家具側金具２０，４０は、係合部１４，３３の傾斜上面の作用によって対応する壁側金具１０，３０に対して引き寄せられ、その引寄せ状態で係合されるため、箱１は壁Ｗに寄せて取り付けられる。本発明による家具取付け構造によれば、例えば地震が生じたときに、地震の横揺れ、即ち、水平方向（Ｘ方向）の揺れと、壁Ｗに対して接近・離間する方向（Ｙ方向）の揺れに対して充分な脱落防止機能を奏することができる。特に、Ｙ方向の揺れは、箱１を壁Ｗに対して衝突させる作用があって、下側取付け構造Ｃが設けられない場合には、その反作用によって上側取付け構造Ａ，Ｂを支点として壁Ｗから大きく跳ね上がり、箱１が壁Ｗから脱落する大きな原因となっている。上側取付け構造Ａ，Ｂをに加えて下側取付け構造Ｃをも採用する本発明の取付け構造により、箱１の壁Ｗからの脱落を防止することができる。
【００３１】
図４は、上側取付け構造Ａ，Ｂにおける壁側金具１０を示す図であり、（ａ）はその正面図であり、（ｂ）はその側面図である。図４においては、図２において示した部位と同等に部位については同じ符号を付すことで再度の説明を省略する。図４に示す壁側金具１０に関連して、図１０には、壁側金具１０を壁Ｗに固定するための壁装着具としての突き刺しピン１６の詳細が示されている。図１０の（ａ）は上面図、（ｂ）は（ａ）のＤ−Ｄ断面図、（ｃ）は底面図、そして（ｄ）は側面図である。突き刺しピン１６は、ステンレス等の金属製の針部材としての突き刺し針１８と、突き刺し針１８が貫通されている樹脂製ヘッド部材となる本体部分１７と、本体部分１７に被せられるキャップ１１３とを備えている。
【００３２】
突き刺し針１８は、二本の細長い薄板状の板状ピン１１４，１１５と、これら板状ピン１１４，１１５に連続し且つ共通している根元部分１１６とから構成されている。二本の板状ピン１１４，１１５は、根元部分１１６から、板状ピン１１４，１１５の針幅程度（例示するものは針幅よりも僅かに細いが、これに限らない）の隙間１２０を挟んで互いに平行に同じ方向に向かって延びていて、同じ高さを有している。二本の板状ピン１１４，１１５は、根元部分１１６を含めて、共通の面内に存在するように配置されている。
【００３３】
板状ピン１１４，１１５の先頭部分１２１，１２２は、それぞれ同じ三角山の形状に形成されており、板状ピン１１５は幅方向のみならず厚み方向にも先細の三角山状のテーパ状に形成されている。テーパ状の先頭部分１２１，１２２は、板状ピン１１４，１１５を壁に突き刺す時に突き刺し易くしている。即ち、板状ピン１１４，１１５は、その先端部分が幅方向にも厚み方向にも尖った細長い板状のピンであるので、壁Ｗへの突き刺し時に作用する突き刺し力は板状ピン１１４，１１５のテーパ状の先端部分１２１，１２２に集中し、楔作用によって壁Ｗへの突き刺しを容易に行うことができる。板状ピン１１４，１１５は断面が細板の断面であるので、突き刺しの際の、木材やモルタル等から成る壁の変形や押し退けの程度が少なくて済み、壁へのダメージを少なくすることができる。
【００３４】
突き刺し針１８は、一枚の金属板好ましくはステンレス板からの打ち抜きによって、中央に根元部分１１６に相当する基部と、当該基部から連続して延びる二つの板状ピン１１４，１１５とを有する板状のピンとして製作される。突き刺し針１８は、根元部分１１６から先端部分１２１，１２２を除き、板状ピン１１４，１１５を含めて一様な板厚である。しかしながら、打ち抜きの際又は打ち抜きの後、プレス加工によって先頭部分１２１，１２２についてのみその板厚を尖端に向かうに従って徐々に薄くされている。これに換えて、根元部分１１６から板状ピン１１４，１１５の先端部分１２１，１２２まで、尖端に向かって板厚が次第に薄くなるように形成することもできる。この構造の板状ピンは、先端部分１２１，１２２の板厚が最も薄くされているので壁への突き刺しが容易になっており、石膏ボード等の比較的柔らかい壁材から成る壁への突き刺しに好適である。
【００３５】
板状ピン１１４，１１５には、それぞれの外側の側縁の領域において、二つの楔部１２３，１２４が、縦方向（突き刺し方向）の先端寄り部分と中央部分とに並んで且つ突き刺し針１８の縦中心線に対して左右対称位置に形成されている。楔部１２３，１２４は、板状ピン１１４，１１５に切込みを入れて、板状ピン１１４，１１５の一方側の板面から突き刺し方向の後方に向けて傾斜する態様で切り起こした切り起こし片として形成されている。この例では、板状ピン１１４，１１５の突き刺し方向の後方に向かって次第に幅広い形状に形成されている。楔部１２３，１２４は、突き刺し針１８の製造時に合わせて行う簡単な金属加工により形成することができる。また、楔部１２３，１２４は、形成位置が異なる以外、同じ態様（形状、傾斜確度等）で切り起こされて形成されている。
【００３６】
楔部１２３，１２４は、突き刺し方向の後方に向けて傾斜しているので、突き刺し針１８を突き刺すときには楔部１２３，１２４はその傾斜が低くなるように変形するために、壁に対して大きな抵抗とはならないが、壁に突き刺した状態にある突き刺し針１８が当該壁から抜き取られようとするときには、壁からのそうした抜き出しに対して大きな抵抗となる。
【００３７】
図４は、上側取付け構造Ａ，Ｂにおける壁側金具１０の（ａ）は正面図、（ｂ）は側面図である。壁側金具１０の本体部分１１には、３箇所に、突き刺しピン１６がそれぞれ突き刺される孔群２１２が同じ態様（形状、姿勢）で形成されている。各孔群２１２には（代表して一つの孔群２１２についてのみ示す）、突き刺しピン１６の突き刺し針１８の二つの板状ピン１１４，１１５がそれぞれ突き刺される突き刺し孔２１３，２１３と、突き刺しピン１６の本体部分１７に形成されている二つの突起１２８，１２８が嵌まり込む嵌入孔２１４，２１４とが形成されている。突き刺し孔２１３には、切り起こし片である楔部１２３，１２４が通過しやすいように、孔の形状に工夫が施されている。即ち、各突き刺し孔２１３は、楔部１２３，１２４を通過しやすくする拡大部分２１３ａを備えるように、全体がＬ字状に連続して形成されている。突き刺し孔２１３の形状を考慮することで、本体部分１７に形成された二つの突起１２８，１２８は、突き刺しピン１６が壁側金具１０に対して一つの位置で一つの姿勢で嵌まり合うときのみ、壁側金具１０の本体部分１１に形成された嵌入孔２１４，２１４に嵌まる。したがって、突き刺しが完了して突起１２８が嵌入孔２１４に嵌まり合った時点で位置決めが正確に行われる。図示の係合具の例では、二つの突き刺し孔２１３は横に並んでいるが、必要に応じて縦に並べた係合具とすることもできる。
【００３８】
図５は、上側取付け構造Ａ，Ｂにおける家具側金具の別の例を示す図であり、（ａ）は正面図、（ｂ）は側面図である。図５に示す家具側金具６０は、図２に示す家具側金具２０と比較して、金具の中央に一部を変形させて横方向に延びるリブ６１を形成したものである。リブ６１は家具側金具６０の横長に沿う方向に延びるように形成されている。リブ６１を形成することにより、家具側金具６０の強度（特に曲げ強度）を向上させることができる。その他の部分は図２に示す家具側金具２０と同等であるので、同等の部位には同じ符号を用いることで再度の説明を省略する。
【００３９】
図６は、下側取付け構造Ｃにおける壁側金具３０を示す図であり、（ａ）は正面図、（ｂ）は側面図である。壁側金具３０にも、図４に示した上側取付け構造Ａ，Ｂにおける壁側金具１０の場合と同様の孔群２１２が形成されている。壁側金具３０の孔群２１２の機能・作用についても、図４に示した壁側金具１０の場合と同様であるので、同じ符号を付すことで再度の説明を省略する。
【００４０】
図７は、下側取付け構造Ｃにおける壁側金具の別例を示す図であり、（ａ）は正面図、（ｂ）は側面図である。図７に示す下側取付け構造Ｃにおける壁側金具７０は、全体が矩形の金属板であり、本体部分７１に引っ掛け片に相当する一部を打ち抜き形成して、一側辺の回りに折り曲げて引っ掛け片となる係合部７３を形成し、打ち抜きした一部を含む矩形の領域を窓７４に形成したものである。即ち、係合部７３を切り起こす際に、本体部分７１に窓７４が形成される。係合部７３には、家具側金具が係合する。壁側金具７０に、突き刺しピン１６を突き刺すための孔群２１２を形成する点は、図６に示す壁側金具３０の場合と同様であるので、再度の説明を省略する。板厚や係合部７３の傾斜角度等の寸法を定めることにより、家具（箱１）の下部を手前側に引いたときの隙間の発生を防止することができる。
【００４１】
図８は、下側取付け構造Ｃにおける家具側金具の別例を示す図であり、（ａ）は正面図、（ｂ）は側面図である。図７に示す下側取付け構造Ｃにおける家具側金具８０は、図５に示す家具側金具６０の場合と同様に、リブ８１を形成したものである。リブ８１は家具側金具８０の本体部分４１の横長に沿う方向に延びるように形成されている。リブ８１を形成することにより、家具側金具８０の強度（特に曲げ強度）を向上させることができる。その他の部分は図３に示す家具側金具４０と同等であるので、同等の部位には同じ符号を用いることで再度の説明を省略する。
【００４２】
図９は、下側取付け構造Ｃにおける家具側金具の更に別の例を示す図であり、（ａ）は正面図、（ｂ）は側面図である。図９に示す下側取付け構造Ｃにおける家具側金具９０は、本体部分９１から延びる係合部分９２の側縁を折り曲げて折曲げ側縁９３，９３とすることにより、係合部分９２を補強したものである。その他の部位は、図３に示す家具側金具４０と同等であるので、同じ符号を付すことで再度の説明を省略する。
【００４３】
本発明による家具取付け構造においては、実施例として、上側取付け構造をＡ，Ｂの２カ所、下側取付け構造をＣの１カ所としたが、これに限られない。上下で位置がことなる上側取付け構造と下側取付け構造とがそれぞれ少なくとも一つ存在し、合わせて三つ以上の取付け構造が存在していればよい。
【００４４】
図１１〜図１３には、この発明による家具取付け構造の別の実施例において用いられる壁側構造が示されている。図１１は、壁側金具と当該壁側金具を壁に固定するための壁装着具とから成っている当該壁側構造の一例を示す図であって、（ａ）は当該壁側構造の上面図、（ｂ）は（ａ）の正面図、（ｃ）は（ａ）の側面図、（ｄ）は壁装着具による壁側金具の壁への装着の様子を示す図である。図１２は、図１１に示す壁側金具を示す図であって、（ａ）は当該壁側金具の上面図、（ｂ）は（ａ）の正面図、（ｃ）は（ａ）の側面図である。図１３は、図１１に示す壁側金具を壁に固定するための壁装着具を示す図であり、（ａ）は壁装着具の針部材とヘッド部材を示す平面図、（ｂ）は（ａ）の正面図、（ｃ）は（ａ）の側面図、（ｄ）は壁装着具の斜視図である。
【００４５】
図１１に実施例として示す家具取付け構造は、壁装着具である突き刺しピン２４０を二つ用いて壁側金具１００を壁Ｗに装着する構造である。図示の例では、各突き刺しピン２４０が壁側金具１００の左右に隔置した二カ所においてそれぞれ壁Ｗに突き刺されて、突き刺しピン２４０，２４０と壁Ｗとの間に壁側金具１００を挟み込むことによって、壁側金具１００が壁Ｗに装着される。壁側金具１００は、図１２に示すように、突き刺し孔２１３の具体的な形状が異なる以外、図７に示す壁側金具７０と実質的に同じ形状・構造を備えている。即ち、図７に示す壁側金具７０においては、各突き刺し孔２１３に拡大部分２１３ａが形成されているのに対して、図１２に示す壁側金具１００においては、各突き刺し孔２１３は幅が一定でストレートな長孔に形成されている点で異なっている。また、図１１に示したものでは、突き刺しピン２４０においてヘッド部材２４２の両サイドを平行になるように、面取り２４８ａ，２４８ａを施したものであってよい。したがって、壁側金具１００においては、壁側金具７０と同等の部位には図７に示す壁側金具７０に用いられている符号と同じ符号を付しており、再度の詳細な説明を省略する。
【００４６】
図１３に示す壁装着具としての突き刺しピン２４０は、ステンレス等の金属製の針部材２４１と、針部材２４１が一側から突き出るように設けられている樹脂製のヘッド部材２４２とを備えている。
【００４７】
針部材２４１は、尖った先頭部分（図１０に示す突き刺しピン１４０の先頭部分１２１，１２２と同様のもの）を有する板状ピン２４４，２４５と、それらに共通の根元部分２４６とを備えている。ヘッド部材２４２は、本体部分２４７と、本体部分２４７に一体のヘッド端部分（フランジ部分）２４８とを備えている。針部材２４１は、根元部分２４６がヘッド部材２４２内に埋設されるように、ヘッド部材２４２に対してインサート成形の手法を伴う樹脂の射出成形によって一体化されている。板状ピン２４４，２４５については、その全部、又は根元部分２４６側の一部を除く大部分がヘッド部材２４２から突き出るように配置される。金属製の針部材２４１は、根元部分２４６がインサート成形ヘッド部材２４２と一体化されることで、ヘッド部材２４２に対して強固に固定される。柔らかい壁に対しては壁装着具２４０を手で押し込むことができるが、壁装着具２４０を硬質の壁に打ち込むには、ヘッド部材２４２のヘッド端部分２４９（図１３（ｄ）参照）をハンマで叩く、或いは突き刺しピン２４０を先端部に保持する工具を用いて突き刺すことによって行われる。
【００４８】
突き刺しピン２４０においては、板状ピン２４４，２４５は、ヘッド部材２４２に対してヘッド部材２４２から突き出た位置で斜めに傾斜して延びている。その傾斜の方向は、図１１に示す如く、突き刺しピン２４０を壁に突き刺した状態で板状ピン２４４，２４５の先端が斜め下方に延びる方向となるように、突き刺しピン２４０を使用するのが好ましい。そうした構造により、家具等の物品を支持する際に突き刺しピン２４０に当該物品の重さが作用したときには、突き刺しピン２４０には、当該突き刺しピン２４０を壁Ｗ側に接近させる方向の力が生じ、針部材２４１は壁Ｗにより深く差し込もうとすることになる。したがって、突き刺しピン２４０が物品の重さに起因して壁Ｗから抜け落ちるとような事態を回避することができる。板状ピン２４４，２４５の傾き角度θ（図１３（ｃ）参照）は、約１５度とすることができるが、物品の支持の形態や壁の硬さ等に応じて、これ以外の適宜傾き角度（例えば、約２５度）であってもよい。この程度の角度であれば、突き刺しピン２４０を壁Ｗに対して強く押すことによって、図１４に示すように、本体部分２４７の一部が壁Ｗ内に押し込まれ、本体部分２４７と壁Ｗとの間に隙間が生じるのを回避することができる。
【００４９】
図１３に示す突き刺しピン２４０においては、種々の変形を施すことができる。即ち、針部材２４１には、その先端部分に先端ほど厚みを薄くするとともに、その側縁部分には図１０に示したような楔部１２３，１２４を形成してもよく、更に、根元部分２４６のヘッド部材２４２へのインサート成形に際しては、樹脂が入り込む適当な孔を形成することができる。また、突き刺しピンにおいては、突き刺すべき壁の硬さ等の性質に応じて、形状・構造を変更することができる。例えば、コンクリート壁のような高い硬度を有する壁については、板状ピンを根元部分に比較して小型にし且つ先細にするなどして対応することができる。
【符号の説明】
【００５０】
Ａ，Ｂ  上側取付け構造        Ｃ  下側取付け構造
Ｗ  壁
１  箱                        １ａ  裏板
２  凹部（第１凹部）          ３  第２凹部
１０  壁側金具                １１  本体部分
１２  舌片                    １３  舌片
１４  係合部（引っ掛け片）    １５  スペース
１６  突き刺しピン            １７  本体部分
１８  突き刺し針
２０  家具側金具              ２１  本体部分
２２  係合部分                ２３  孔
２４  木ねじ
３０  壁側金具                ３１  本体部分
３２  延長部分                ３３  係合部（引っ掛け片）
３４  傾斜端縁                ３４ａ  水平端縁
３５  スペース                ３６  突き刺しピン
３７  本体部分                ３８  突き刺し針
４０  家具側金具              ４１  本体部分
４２  係合部分                ４３  孔
４４  木ねじ                  ４５  窓
６０  家具側金具              ６１  リブ
７０  壁側金具                ７１  本体部分
７３  係合部（引っ掛け片）    ７４  窓
８０  家具側金具              ８１  リブ
９０  家具側金具              ９１  本体部分
９２  係合部分                ９３  折曲げ側縁
１００  壁側金具              １１３  キャップ
１１４，１１５  板状ピン      １１６  根元部分
１２０  隙間                  １２１，１２２  先端部分
１２３，１２４  楔部          １２８，１２８  突起
２１２  孔群                  ２１３，２１３  突き刺し孔
２１３ａ  拡大部分            ２１４，２１４  嵌入孔
２４０  突き刺しピン          ２４１  針部材
２４２  ヘッド部材            ２４４，２４５  板状ピン
２４６  根元部分              ２４７  本体部分
２４８  ヘッド端部分（フランジ部分）
２４９  ヘッド端部分
θ  角度
【図１】
0005996889.tif 000002
【図２】
0005996889.tif 000003
【図３】
0005996889.tif 000004
【図４】
0005996889.tif 000005
【図５】
0005996889.tif 000006
【図６】
0005996889.tif 000007
【図７】
0005996889.tif 000008
【図８】
0005996889.tif 000009
【図９】
0005996889.tif 000010
【図１０】
0005996889.tif 000011
【図１１】
0005996889.tif 000012
【図１２】
0005996889.tif 000013
【図１３】
0005996889.tif 000014